(57)【要約】  本発明は、管体（４１）、その内部に移動可能に収容されている重心体（４２）、そして重心体（４２）に保持された球体（４３）を含む重心移動管であって、重心体（４２）は管体（４１）の内周面の直径よりも僅かに小さい直径を持ち、その外周面に、球体（４３）を循環可能に収容保持し、且つ互いに平行に配置され、かつ相互に連結された二条の溝からなる球体循環溝（４４）が三列以上（但し球体循環溝（４４）の一方の溝に収容されている球体（４３）は重心体（４２）の移動時には管体（４１）の内周面に接触しながら溝内で回転しながら循環移動し、他の一方の溝に収容されている球体（４３）は、管体（４１）の内周面に非接触な状態で回転しながら循環移動する構成とされている）形成されている重心移動管に関する。本発明は、釣り用ルアーの重心移動機構を、構造、製造が比較的簡単で、重心の移動を円滑とする。
2018110424.tif 000002
【特許請求の範囲】
【請求項１】
管体、該管体の内部に移動可能に収容されている重心体、そして該重心体に保持された球体を含む重心移動管であって、該重心体は管体の内周面の直径よりも僅かに小さい直径を持ち、その外周面に、球体を循環可能に収容保持する、互いに平行に配置され、かつ相互に連結された二条の溝からなる球体循環溝が三列以上、但し球体循環溝の一方の溝に収容されている球体は重心体の移動時には管体の内周面に接触しながら溝内で回転しながら循環移動し、他の一方の溝に収容されている球体は、管体の内周面に非接触な状態で回転しながら循環移動する構成とされている、形成されていることを特徴とする重心移動管。
【請求項２】
重心体が金属材料製である請求項１に記載の重心移動管。
【請求項３】
管体の少なくとも一方の端部に磁石が備えられている請求項１に記載の重心移動管。
【請求項４】
重心体に形成された球体循環溝が三列である請求項１に記載の重心移動管。
【請求項５】
小魚を模した外観形状となるように形成され、中空内部を持つルアーボディの先端部付近に，前下がり傾斜するリップを付設してなる釣り用ルアーであって、該ルアーボディの中空内部に、管体、該管体の内部に移動可能に収容されている重心体、そして該重心体に保持された球体を含む重心移動管であって、該重心体は管体の内周面の直径よりも僅かに小さい直径を持ち、その外周面に、球体を循環可能に収容保持する、互いに平行に配置され、かつ相互に連結された二条の溝からなる球体循環溝が三列以上、但し球体循環溝の一方の溝に収容されている球体は重心体の移動時には管体の内周面に接触しながら溝内で回転しながら循環移動し、他の一方の溝に収容されている球体は、管体の内周面に非接触な状態で回転しながら循環移動する構成とされている、形成されている重心移動管が収容固定されていることを特徴とする釣り用ルアー。
【発明の詳細な説明】
【技術分野】
【０００１】  本発明は、管体の傾斜状態の変動に応じて重心の位置が移動する重心移動管及びその重心移動管を内蔵する釣り用ルアーに関する。
【背景技術】
【０００２】  釣りに用いる擬餌針として、えさとなる小魚などの形態に似せた細長い形態を持つルアーが一般的に利用されている。ルアーを用いる釣り方法の代表的な例としては、浜辺や岸壁などから釣り糸の先端に付けたルアーを遠方の海域まで投擲する投げ釣りが知られている。この投げ釣りでは、ルアーをできるだけ遠方に飛ばす必要があるため、ルアーの内部に錘（重り）を内臓させた構成とされることが多い。ただし、疑似餌としてのルアーは、海面に投げ入れられた後は、釣り人による釣り糸の操作に従い、海面もしくは海中にて生きている小魚と同様に頭部が若干下方を向くような姿勢でスムースに動き回ることができる構造であることが望まれる。【０００３】  特許文献１には、ルアーボディの内部を中空とし、釣り糸が繋げられるルアーボディの前端部付近にリップ（小魚の頭部に相当する前端部の下側部形成された舌部）を若干前下がりに傾斜するように付設し、中空の内部には、錘（重り、ウェイト）を、通常の状態では前端部側に磁石にて仮固定し、ルアーのキャスティング（投擲）によって錘が磁石から離脱した後は、ルアー内部にて錘が前後に自由な移動が可能なように収容して構成した釣り用ルアーが開示されている。【０００４】  特許文献１に開示の釣り用ルアーの構成の具体的な構成を特許請求の範囲の請求項１の記載に沿って説明すると、この釣り用ルアーは、小魚を模した外観形状となるように形成されたルアーボディの先端部付近に、適度に前下がり傾斜するリップを付設してなる釣り用ルアーであって、前記ルアーボディの中空内部に前部付近から後部にかけてガイドシャフトを設けると共に、このガイドシャフトに装着されたリニアブッシュが前記ガイドシャフトに沿って前後にスライド可能とし、前端付近に配置されたマグネットに前記リニアブッシュが磁着保持されるようにしたことを特徴とする構成を持つ。【０００５】  本願の添付図面に、特許文献１に開示されている図面を部分的に選択し、図１〜図３として添付した。この図1〜図３に開示された釣り用ルアーの構成と作用効果とを、特許文献１の記載に沿って説明する。【０００６】  図１は、特許文献１に開示の釣り用ルアーの全体構成を示す断面図である。この断面図において、釣り用ルアー１０は、小魚の形状を模したルアーボディ（通常は合成樹脂の成形により作製される）１１を主構成部とする。このルアーボディ１１の前端部（小魚の頭部に相当する）には、糸環１２が備えられ、この糸環１２には、釣り糸（もしくはライン）１３が結び付けられている。ルアーボディ１１の前端部の後側部から後端部にかけて、順にフックハンガ１４、１５、１６が備えられていて、それぞれには、スプリットリングを介してフロントフック（前部釣針）１８、ミドルフック（中間釣針）１９、リアフック（後部釣針）２０が備えられている。また、ルアーボディの前端部下側には、薄板状のリップ（潜水板）２１が若干下側に傾いた状態で付設されている。釣り用ルアー１０が海面に投擲された後、釣り人が釣り糸１３を引いてルアー１０を引き寄せると、リップ２１は海水の抵抗を受け、ルアーボディ１１は前傾姿勢にて海中に潜水する動きを行う。【０００７】  次にルアーボディ１１の内部構造を説明する。��アーボディ１１の内部は細長い中空とされ、その中空の内部には長手方向に沿ってガイドシャフト２２が設けられている。そして、ガイドシャフト２２には、リニアブッシュ２３が前後の滑動が可能なように装着されている。ガイドシャフト２２は、リブ２４、２５により中空内でルアーボディ１１に固定されている。【０００８】  リニアブッシュ２３は、ブッシュ本体２６と、その両側に接続された一対の錘（ウエイト）２７とから構成され、この構成により、リニアブッシュ２３が重心移動体として機能するようになる。【０００９】  リニアブッシュ本体２６の内周面には、ガイドシャフト２２の周面に沿って長手方向に循環移動しながら回転するボール（球体）２８が装着されている。このようなリニアブッシュ本体２６の構成により、ルアーボディ１１の傾斜状態に応じて、リニアブッシュ２６がガイドシャフト２２に沿って円滑に滑動し、これにより両側の錘２７を含むリニアブッシュ２３がガイドシャフト２２に沿って前後に円滑に移動するようになる。【００１０】  ルアーボディ１１の内部に形成された中空部の前端側のリブには、マグネット（磁石）２９が付設されていて、リニアブッシュ２３は、その通常状態では、その前端部にて磁石２９により仮固定されている。【００１１】  リニアブッシュ本体２６は、従来より直動軸受として知られ、一般的に使用されているリニアブッシュが使用される。すなわち、図３に示すように、リニアブッシュ３０は、外筒３１と外筒３１の内周側に装入されたリテーナ（ボールを循環可能に保持する溝を備えたボール保持器）３２、そしてリテーナの溝に収容保持されている複数のボール２８から構成されている。なお、外筒３０の端部にはリテーナ３２の外筒３０からの離脱を防ぐための止め輪３３が備えられている。【００１２】  リニアブッシュのリテーナ３２の溝に収容保持されているボール２８は、リニアブッシュ２３のガイドシャフト２２に沿う移動に応じて、回転しながら溝内を循環移動する。このため、ルアー１０の傾斜状態の変動に応じて傾斜状態が変動するガイドシャフト２２に沿って、リニアブッシュ２３は円滑に滑動しながら移動し、このリニアブッシュ２３の移動により、ルアー１０の好ましい傾斜状態を維持するように、ルアー１０の重心が移動する。【００１３】  特許文献１に開示されている釣り用ルアーは、上記の構成を持ち、釣り用のルアーとして使い勝手が良く、優れた釣り用ルアーと云うことができるが、図１〜図３から分かるように、重心移動構造体が複雑な構造を持つため、その製造が簡単とは云えず、従って製造コストの低減が難しいと云う問題がある。そして、そのため、特許文献１に開示の釣り用ルアーの構成は、汎用の釣り用ルアーには利用しにくいことが難点となっている。【００１４】  次に、特許文献２にも釣り用ルアーの重心移動構造体として使用可能な管内走行体が開示されている。この管内走行体は、管状容器の内部に収容して用いる管内走行体であって、該管内走行体が、外周面と内周面とに複数の球体の部分的な露出を可能にするスリット状の開口を備えた球体回転移動溝と該球体回転移動溝の一方の端部と他方の端部とに接続している球体帰還溝とから構成される少なくとも三本の球体循環溝を持つ円筒状球体保持具、該円筒状球体保持具の球体循環溝に収容された複数の球体、そして該円筒状球体保持具の内側に挿入固定された軸体を含み、上記球体回転移動溝に収容されている球体の管状容器の内周面と軸体の外周面との接触下での回転と管状容器に対する相対的な移動により、管状容器の長さ方向に沿った走行が可能にされている管内走行体であって、特許文献１に開示の重心移動構造体と同等あるいはそれ以上に円滑な重心移動を可能にする構造である。しかしながら、この特許文献２に開示されている重心移動構造体もまた、その構造が複雑なため、製造が簡単とは云えず、やはり製造コストの低減が難しいという問題がある。【００１５】  なお、特許文献２には、そこに開示の管内走行体は、釣り用ルアーの重心移動構造体としての使用も可能であるが、その外にも電磁発電機やスライドユニットでの使用も可能である旨の記載もある。
【先行技術文献】
【特許文献】
【００１６】
【特許文献１】特開２０１６−８２９０７号公報
【特許文献２】特開２０１６−１４５６２５号公報
【発明の概要】
【発明が解決しようとする課題】
【００１７】  特許文献1及び特許文献２に記載されている重心移動機構は、特に釣り用ルアーに用いる重心移動機構として優れた機能を持つものであるが、いずれも、上記のように、その構造が複雑なため、製造が簡単とは云えず、このため製造コストの低減が難しいという問題がある。【００１８】  従って、本発明の課題は、構造が比較的簡単で、製造が比較的容易であるに拘わらず、特許文献１や特許文献２に開示されている重心移動機構と同様に、重心の移動が円滑に実現し、このため特に汎用の釣り用ルアーの重心移動機構として有利に用いることのできる重心移動管を提供することにある。
【課題を解決するための手段】
【００１９】  本発明の発明者は、上記の課題の解決のために研究を行った結果、管体、該管体の内部に移動可能に収容されている重心体、そして該重心体に保持された球体を含む重心移動管であって、該重心体は管体の内周面の直径よりも僅かに小さい直径を持ち、その外周面に、球体を循環可能に収容保持する、互いに平行に配置され、かつ相互に連結された二条の溝からなる球体循環溝が三列以上、但し球体循環溝の一方の溝に収容されている球体は重心体の移動時には管体の内周面に接触しながら溝内で回転しながら循環移動し、他の一方の溝に収容されている球体は、管体の内周面に非接触な状態で回転しながら循環移動する構成とされていることを特徴とする重心移動管を案出し、この重心移動管が上記課題の解決に有効であることを見出した。【００２０】  従って、本発明により、管体、該管体の内部に移動可能に収容されている重心体、そして該重心体に保持された球体を含む重心移動管であって、該重心体は管体の内周面の直径よりも僅かに小さい直径を持ち、その外周面に、球体を循環可能に収容保持する、互いに平行に配置され、かつ相互に連結された二条の溝からなる球体循環溝が三列以上（但し、球体循環溝の一方の溝に収容されている球体は重心体の移動時には管体の内周面に接触しながら溝内で回転しながら循環移動し、他の一方の溝に収容されている球体は、管体の内周面に非接触な状態で回転しながら循環移動する構成とされている）形成されていることを特徴とする重心移動管が提供される。【００２１】  また、本発明により、小魚を模した外観形状となるように形成され、中空内部を持つルアーボディの先端部付近に，前下がり傾斜するリップを付設してなる釣り用ルアーであって、該ルアーボディの中空内部に、管体、該管体の内部に移動可能に収容されている重心体、そして該重心体に保持された球体を含む重心移動管であって、該重心体は管体の内周面の直径よりも僅かに小さい直径を持ち、その外周面に、球体を循環可能に収容保持する、互いに平行に配置され、かつ相互に連結された二条の溝からなる球体循環溝が三列以上（但し、球体循環溝の一方の溝に収容されている球体は重心体の移動時には管体の内周面に接触しながら溝内で回転しながら循環移動し、他の一方の溝に収容されている球体は、管体の内周面に非接触な状態で回転しながら循環移動する構成とされている）形成されている重心移動管が収容固定されていることを特徴とする釣り用ルアーが提供される。【００２２】  本発明の重心移動管の好ましい態様を以下に記載する。（１）重心体が金属材料製である。（２）管体の少なくとも一方の端部に磁石が備えられている。（３）重心体に形成された球体循環溝が三列である。
【発明の効果】
【００２３】  本発明の重心移動管は、管体内に収容された重心体が管体の傾斜状態の変動に応じて円滑に移動し、例えば、特許文献１および特許文献２に開示の重心移動機構と同様に釣り用ルアーに内蔵させた場合には、釣り用ルアーの使用時における円滑な重心の移動が可能になる。そして、本発明の重心移動管は、その構成が比較的簡素であるため、その製作が容易であるという利点を持つ。
【図面の簡単な説明】
【００２４】
【図１】特許文献１に開示の釣り用ルアーの断面を表す全体図である。
【図２】図１の釣り用ルアーの内部に装着されたリニアブッシュを含む重心移動機構を表す図である。
【図３】図２に示したリニアブッシュの構造を表す斜視図である。
【図４】本発明の重心移動管の構成を示す斜視図である。
【図５】図４の重心移動管の断面図である。
【図６】図４の重心移動管の断面図の部分拡大図である。
【図７】図４の重心移動管を内部に装着した釣り用ルアーの代表的な構成を示す部分断面図である。
【発明を実施するための形態】
【００２５】  本発明の重心移動管と釣り用ルアーについて、添付図面の図４乃至図７を参照して説明する。なお、添付図面の図１乃至３に示した先行技術に従う釣り用ルアーの構成についての説明は「背景技術」において記載している。
【００２６】  本発明の重心移動管の構成例を図４に斜視図にて、そして図５に直径方向の断面図として示す。図４と図５において、重心移動管４０は、管体４１、該管体の内部に移動可能に収容されている重心体４２、そして該重心体に保持された球体４３を含む。
【００２７】  重心体４２は管体４１の内周面の直径よりも僅かに小さい直径を持ち、その外周面に、球体４３を循環可能に収容保持する、互いに平行に配置され、かつ相互に連結された二条の溝からなる球体循環溝４４が三列以上（但し、球体循環溝４４の一方の溝に収容されている球体は重心体の移動時には管体の内周面に接触しながら溝内で回転しながら循環移動し、他方の溝に収容されている球体は、管体の内周面に非接触な状態で回転しながら循環移動する構成とされている）形成されている。なお、本発明の重心移動管の製造そして重心移動体の円滑な移動をより確実にするためには、重心移動体に形成される球体循環溝は三列であることが好ましい。
【００２８】  本発明の重心移動管の構成要素となる管体は、金属材料、樹脂材料、あるいはガラスなどのセラミック材料から作製することができる。
【００２９】  本発明の重心移動管の構成要素となる重心体は、ステンレスチールなどの金属材料から形成することが望ましいが、所望により、金属材料と樹脂材料との複合材料あるいは樹脂材料単独から形成することもできる。
【００３０】  本発明の重心移動管における管体内での重心体の移動は、直動軸受として一般的に利用されているリニアブッシュにおける外筒内に収容されたリテーナ（球体保持具）の移動と類似の機構により実現する。すなわち、重心体の球体循環溝は、リニアブッシュの外筒に内包されるリテーナの球体循環溝と同様に二条の溝から構成され、球体を永久的な循環が可能なように収容保持する。そして、球体循環溝の一方の溝に収容されている球体は重心体の移動時には管体の内周面に接触しながら溝内で回転しながら循環移動し、他方の溝は球体帰還溝として機能し、収容されている球体は、管体の内周面に非接触な状態で回転しながら循環移動する構成とされている。
【００３１】  念のため、図５と図６を参照して、本発明の重心移動管における管体内での重心体の円滑な移動を実現する構造の例を具体的に説明する。図６の重心体４０に形成されている球体循環溝４４は、球体４３が管体４１の内周面に接触して溝内を回転しながら循環移動する側の球体回転移動溝４４ａそして球体が管体４１の内周面に非接触な状態で回転しながら循環移動する側の球体帰還溝４４ｂから構成されている。球体回転移動溝４４ａと球体帰還溝４４ｂとは夫々の末端部にて互いに接続されて無限軌道を形成し、球体がそれぞれの溝内で循環移動するようにされている。
【００３２】  球体回転移動溝４４ａと球体回転移動溝４４ｂとの位置関係について、図６を参照して更に詳しく説明する。重心体の中心点の位置を線Ｘで表すと、球体回転循環溝の位置（線Ｙ）と球体帰還溝の位置（線Ｚ）の線Ｘからの距離は互いに異なるようにされ、球体帰還溝４４ｂの形成位置から重心体中心位置までの距離（Ｘ−Ｚ）よりも、球体回転循環溝４４ａの形成位置から重心体４２の中心位置までの距離（Ｘ−Ｙ）が大きく設定されている。このように球体回転循環溝４４ａの形成位置からの重心体４２の中心位置までの距離（Ｘ−Ｙ）を相対的に大きく設定することにより、球体回転循環溝４４ａに収容保持された球体４３は、球体回転循環溝４４ａに在る時には管体４１の内周面に接触し、一方、球体４３が球体帰還溝４４ｂに在る時には、球体４３は管体４１の内周面には非接触状態を維持する。このようにして、球体４３は、管体の内周面との接触状態を維持しながら、球体回転循環溝４４ａと球体帰還溝４４ｂとがそれぞれの末端部で連結された構成の球体循環溝４４の内部に沿って円滑に循環移動することが可能となる。
【００３３】  本発明の釣り用ルアー、すなわち、これまでに説明した本発明の重心移動管を内蔵した釣り用ルアーの構成について、図７を参照して説明する。
【００３４】  図７に示したの釣り用ルアー５０は、特許文献１に開示の釣り用ルアー（先に説明した図１に示した釣り用ルアー）と同様な構造のルアーボディ１１に本発明に従う重心移動機構である重心移動管４０が内蔵された構成を持つ。従って、ルアーボディ１１の各構成要素（１２、１３、１４、１５、１６、１７、１８、１９、２０、２１）については、改めての説明は省略する。
【００３５】  図７の釣り用ルアー５０は、図を見て理解できるように、図１に示した釣り用ルアー１０の重心移動機構を図４に示した本発明の重心移動機構である重心移動管４０に取り替えた構成を持つ。なお、図１にルアーボディ１１のリブ２４に装着していた磁石（マグネット）２９は、そのままリブに付けた形で利用することができるが、磁石は重心移動管４０の一方の端部に装着してもよい。
【００３６】  図７からも分かるように、本発明の重心移動管を内蔵する釣り用ルアーは、図１〜図３に示した特許文献１に開示の釣り用ルアー１０に比べると簡単な構成を持つため、その製造が相対的に容易となること、そしてそのルアーボディの中空内部への装着も容易であることも分かる。
【００３７】  なお、これまでの説明から理解できるように、本発明の釣り用ルアーは、特許文献１に開示の釣り用ルアーと同様の形状と構成とを持ち、特許文献１に開示の釣り用ルアーと同様な方法により釣り用として利用することができる。このため、特許文献１に記載の釣り用ルアーの構成の一般的な記載、そしてその使用方法の記載は本願発明の記載に含めるものとする。
【００３８】  また、前述のように本発明の重心移動管は、釣り用ルアーに内蔵する以外にも、電磁発電機やスライドユニットでの各種の用途での使用も可能である。そのような本発明の重心移動管の釣り用ルアー以外の用途での使用については、特許文献２に詳しい記載があるので、重複記載を省略して、特許文献２の記載を本明細書の記載とする。
【符号の説明】
【００３９】  １０  特許文献１に記載の釣り用ルアー  １１  特許文献１に記載ののルアーボディ  １３  釣り糸  ２２  ガイドシャフト  ２３  リニアブッシュ  ４０  本発明の重心移動管  ４１  管体  ４２  重心体  ４３  球体（ボール）  ４４  球体循環溝  ５０  釣り用ルアー
【図１】
2018110424.tif 000003
【図２】
2018110424.tif 000004
【図３】
2018110424.tif 000005
【図４】
2018110424.tif 000006
【図５】
2018110424.tif 000007
【図６】
2018110424.tif 000008
【図７】
2018110424.tif 000009
【国際調査報告】
2018110424.tif 000010
2018110424.tif 000011